(57)【特許請求の範囲】
【請求項１】
乗りかごの昇降路の壁面に開口された乗場出入口を開閉する乗場ドアパネルと、この乗場ドアパネルをスライド自在に懸架したハンガー機構と、このハンガー機構を収容するヘッダーケースと、このヘッダーケースの内部を覆う板状のヘッダーカバーと、を備え、
前記ヘッダーカバーは、前記乗場ドアパネルの上端に沿って水平方向に延長形成され、その下端は、前記水平方向に沿ってその沿直方向の位置が変化するように形成されていることを特徴とすることを特徴とするエレベータ。
【請求項２】
前記ヘッダーカバーの下端形状は、このヘッダーカバーの水平方向の一端部から他端部に向けて斜めに直線的に変化する形状であることを特徴とする請求項１に記載のエレベータ。
【請求項３】
前記ヘッダーカバーの下端形状は、このヘッダーカバーの水平方向中央部から両側部に向けて斜めに直線的に変化する凸型の形状であることを特徴とする請求項１に記載のエレベータ。
【請求項４】
前記ヘッダーカバーの下端形状は、このヘッダーカバーの水平方向中央部から両側部に向けて斜めに直線的に変化する凹型の形状であることを特徴とする請求項１に記載のエレベータ。
【請求項５】
前記ヘッダーカバーの下端形状の水平方向に対する角度は、前記エレベータの乗りかごの上昇速度に応じて定められることを特徴とする請求項２に記載のエレベータ。
【請求項６】
前記ヘッダーカバーの下端形状の水平方向に対する角度は、エレベータの乗りかごの敷居がこのヘッダーカバーの下端を通過する時間によって定まる空気の振動周波数が、人間の可聴周波数未満となるように設定されることを特徴とする請求項２に記載のエレベータ。
【発明の詳細な説明】
【技術分野】
【０００１】
本発明は、乗場ドアの上方部にヘッダーケースを備えたエレベータに係り、特に乗りかごの上昇時におけるバフ音を低減するエレベータに関する。
【背景技術】
【０００２】
エレベータの昇降路の壁面に開口された乗場出入口の上部には、図４に要部概略構成を示すように前記乗場出入口を開閉する乗場ドアパネル１を幅方向にスライド自在に懸架したハンガー機構２を収容するヘッダーケース３が設けられる。尚、ハンガー機構２は、乗場ドアパネル１の上部を支持するハンガー２ａと、このハンガー２ａに取り付けられたローラ２ｂの移動を案内するハンガーレール２ｃを主体として構成される。
【０００３】
ヘッダーケース３は、乗場出入口の上部躯体壁面４と平行に立設されるベース体３ａと、このベース体３ａの上端に連なって昇降路側に突出し、前記ハンガー機構２の上部を覆う天板３ｂとからなり、上階の乗場から落下してくる掃除の水や塵・ほこり等から前記ハンガー機構２を保護する役割を担う。そしてこのヘッダーケース３の昇降路側に突出する先端部、つまり前記天板３ｂの先端部にはこのヘッダーケース３の内部を覆うヘッダーカバー５が設けられる（例えば特許文献１を参照）。
【０００４】
このヘッダーカバー５は、図５に示すように前記ヘッダーケース３の幅方向に沿って延びる横長の長方形状の板体からなる。更に図４に示すように前記天板３ｂの先端部と上階の乗場の敷居（図示せず）の先端部との間には、前記ヘッダーカバー５と同一面を形成して前記昇降路の壁面を形成するフェッシャープレート６が設けられる。
【先行技術文献】
【特許文献】
【０００５】
【特許文献１】特開２０１１−１５２９９６号公報
【発明の概要】
【発明が解決しようとする課題】
【０００６】
ところで図４に示すように、前記昇降路を昇降する乗りかご７の乗降口に設けられた敷居８の先端部と、前記ヘッダーカバー５および前記フェッシャープレート６、更には乗場の床面に連なる乗場敷居（図示せず）の先端部によって形成される前記昇降路の壁面との間の距離（クリアランス）ｗは、その隙間から物が落ちないように、また車いすや台車の車輪が挟まらないようになるべく狭く設定されている。尚、図４において符号９は、乗りかご７の乗降口に開閉自在に設けられたドアパネルを示している。
【０００７】
この為、乗りかご７が乗場に停止することなく走行する際、特に乗りかご７の上昇時には、この乗りかご７の敷居８によって押し上げられる空気が図中点線Ａで示すように前記ヘッダーケース３とヘッダーカバー５との間に形成される空間部に入り込んで圧縮される。その後、上述した如く圧縮された空気は、前記乗りかご７の通過に伴って昇降路内に解放される。するとこの空気の圧縮・開放に伴ってバフ音が発生し、このバフ音が騒音として乗場や乗りかご１内に伝播する可能性がある。
【０００８】
本発明はこのような事情を考慮してなされたもので、その目的は、エレベータの乗りかごの上昇時におけるバフ音の発生を抑制し、乗場や乗りかご内における騒音レベルを低減することのできるエレベータを提供することにある。
【課題を解決するための手段】
【０００９】
上述した目的を達成するべく本発明に係るエレベータは、乗りかごの昇降路の壁面に開口された乗場出入口を開閉する乗場ドアパネルと、この乗場ドアパネルをスライド自在に懸架したハンガー機構と、このハンガー機構を収容するヘッダーケースと、このヘッダーケースの内部を覆う板状のヘッダーカバーと、を備え、
前記ヘッダーカバーは、前記乗場ドアパネルの上端に沿って水平方向に延長形成され、その下端は、前記水平方向に沿ってその沿直方向の位置が変化するように形成されていることを特徴としている。
【発明の効果】
【００１０】
このような下端形状のヘッダーカバーを採用することで、乗りかごの上昇時にこの乗りかごの敷居が前記ヘッダーカバーの下端部を通過する時間（タイミング）に差が生じ、ヘッダーカバーの内側に入り込んで圧縮される空気の圧力変動が緩やかになる。この結果、空気の圧力変動に伴って発生するバフ音の周波数が低下するので、このバフ音の周波数を人間の可聴周波数未満とすることで、乗場や乗りかご内における騒音レベルを低減することが可能となる。
【図面の簡単な説明】
【００１１】
【図１】本発明に係るエレベータにおけるヘッダーカバーの第１の実施形態を示す図。
【図２】本発明に係るエレベータにおけるヘッダーカバーの第２の実施形態を示す図。
【図３】本発明に係るエレベータにおけるヘッダーカバーの第３の実施形態を示す図。
【図４】エレベータの乗場出入口における上部構造と、乗りかごとの関係を示す要部概略構成図。
【図５】従来の一般的なヘッダーカバーの例を示す図。
【発明を実施するための形態】
【００１２】
以下、図面を参照して本発明に係るエレベータの実施形態について説明する。
【００１３】
図１は第１の実施形態に係るエレベータの要部の構成を示す断面図であり、特にヘッダーケース３と、このヘッダーケース３の先端部に取り付けられるヘッダーカバー１１とを示している。なお、この実施形態に係るエレベータのその他の部分の概略構成は、図４に示した従来技術と実質的に同一であるため、その説明は省略する。
【００１４】
ヘッダーカバー１１は、その下端部形状が、図中左端から右端に掛けて斜めに沿直方向の高さが変化する形状を有している。即ち、ヘッダーケース３の前端部に水平に取り付けられる前記ヘッダーカバー１１の上端部を基準として、このヘッダーカバー１１の左側下端部の高さＨＬよりも右側下端部の高さＨＲが低く設定されている。従って左側下端部と右側下端部とを結ぶこのヘッダーカバー１１の下端部形状は、水平方向に対して、いわゆる右肩上がりの角度をもつ直線状の傾斜辺を形成している。
【００１５】
このような下端部形状のヘッダーカバー１１によれば、図４を参照して前述したように乗りかご７の上昇に伴ってこの乗りかご７の敷居８によって押し上げられる空気は、前記ヘッダーカバー１１の左端側において最も早く前記ヘッダーケース３の内側に入り込んで圧縮され、前記ヘッダーカバー１１の右端側においては最も遅く前記ヘッダーケース３の内側に入り込んで圧縮される。換言すれば前記ヘッダーケース３の内側に入り込む空気は、ヘッダーカバー１１の左端側と右端側とにおいて、前記乗りかご７の敷居８が通過する時間差を経て圧縮される。
【００１６】
このためヘッダーケース３の内側に入り込んで圧縮された後、前記敷居８の通過に伴って昇降路内に解放される空気の圧力変動が緩やかになり、空気の圧力変動に伴うバフ音の発生周波数が低くなる。
【００１７】
具体的には、例えば乗りかご７の上昇速度が１２０ｍ／分であり、前記敷居８の厚みｄ（図４を参照）が２０ｍｍであるとすれば、図５に示したように下端部形状が水平方向に延びる直線形状をなす前記ヘッダーカバー３の場合、前記敷居８がこのヘッダーカバー３の下端部を通過する時間ｔは０.０１秒となり、１００Ｈz（ｆ＝１／ｔ）のバフ音が発生する。
【００１８】
しかし下端部形状が水平方向に対して斜めに傾斜した形状を有する前記ヘッダーカバー１１の場合には、例えば下端部の左側と右側の高さに８０ｍｍの差があるとすれば、前記敷居８が前記ヘッダーカバー１１の左側下端に到達した後、その右側下端を通過するまでの時間ｔは、前記高さの差８０ｍｍに前記敷居８の厚み２０ｍｍを加えた計１００ｍｍ分が通過する時間となり、０.０５秒となる。この結果、乗りかご７の上昇に起因する空気の圧力変動が緩やかになり、この場合には２０Ｈz（ｆ＝１／ｔ）のバフ音が発生することになる。
【００１９】
従ってバフ音の周波数（２０Ｈz）を人間の可聴周波数（一般的には５０Ｈz〜１５ｋＨz）よりも低く抑えることができ、上記バフ音が騒音として伝播することがなくなる。即ち、上記実施形態によればバフ音の発生時間を長くすることによってその周波数を低下させ、これによって可聴周波数帯域の騒音の発生を抑えて静音効果を持たせることが可能となる。
【００２０】
図２は第２の実施形態に係るヘッダーカバー１２を示している。このヘッダーカバー１２は、このヘッダーカバー１２の水平方向に延びる上端部を基準として、その中央下端部の高さＨＣよりも左右両下端部の高さＨＬ,ＨＲを低く設定し、中央部が突出した凸型の下端部形状を有する。即ち、中央下端部と左右の両下端部とをそれぞれ結ぶヘッダーカバー１２の下端部形状は、水平方向に対して左肩上がり、および右肩上がりの角度をもつ２つの直線状の傾斜辺を形成した凸型形状となっている。
【００２１】
このようなヘッダーカバー１２においても、前述した図１に示すヘッダーカバー１１と同様に、前記敷居８が当このヘッダーカバー１２の下端部を通過する時間に差を持たせることができるので、乗りかご７の上昇に起因する空気の圧力変動を緩やかにすることができる。従って先の実施形態と同様にバフ音の周波数を低く抑え、静音効果を持たせることが可能となる。
【００２２】
図３は、第３の実施形態に係るヘッダーカバー１３を示している。このヘッダーカバー１３は、このヘッダーカバー１３の水平方向に延びる上端部を基準として、その中央下端部の高さＨＣよりも左右両下端部の高さＨＬ,ＨＲを高く設定し、中央部が窪んだ凹型の下端部形状を有する。即ち、中央下端部と左右の両下端部とをそれぞれ結ぶヘッダーカバー１３の下端部形状は、水平方向に対して右肩上がり、および左肩上がりの角度をもつ２つの直線状の傾斜辺を形成した凹型形状となっている。
【００２３】
このようなヘッダーカバー１３においても、前述した図１および図２に示すヘッダーカバー１１,１２と同様に、前記敷居８が当このヘッダーカバー１３の下端部を通過する時間に差を持たせることができるので、乗りかご７の上昇に起因する空気の圧力変動を緩やかにすることができる。従って先の各実施形態と同様にバフ音の周波数を低く抑え、静音効果を持たせることが可能となる。
【００２４】
以上説明したように本発明に係るエレベータによれば、乗りかご７の乗降口に設けられた敷居８の先端部と、前記ヘッダーカバー１１,１２,１３および前記フェッシャープレート６、更には乗場の床面に連なる乗場敷居（図示せず）の先端部によって形成される前記昇降路の壁面との間の距離（クリアランス）ｗが狭く、また乗りかご７が高速に昇降走行する場合であっても、乗りかご７が乗場を通過する際に発生するバフ音の周波数を下げることができるので、バフ音に起因する騒音の発生を効果的に抑制することができる。従ってエレベータを静かに運転することができる。
【００２５】
尚、本発明は上述した各実施形態に限定されるものではない。例えばヘッダーカバー１１,１２,１３の下端部形状の傾き角度は、乗りかご７の敷居８の厚みｄや、その上昇速度に応じて、空気の圧縮・開放に伴って発生するバフ音の周波数が人間の可聴周波数未満となるように設定すれば十分である。また各実施形態においては、ヘッダーカバー１１,１２,１３の下端部形状を直線として形成したが、下方に向けて凸状または凹状をなす緩やかな湾曲辺として形成しても良い。その他、本発明はその要旨を逸脱しない範囲で種々変形して実施することができる。
【符号の説明】
【００２６】
１  乗場ドアパネル
３  ヘッダーケース
５  ヘッダーカバー
６  フェッシャープレート
７  乗りかご
８  敷居
９  ドアパネル
１１  ヘッダーカバー（第１の実施形態）
１２  ヘッダーカバー（第２の実施形態）
１３  ヘッダーカバー（第３の実施形態）
【図１】
0005542875.tif 000002
【図２】
0005542875.tif 000003
【図３】
0005542875.tif 000004
【図４】
0005542875.tif 000005
【図５】
0005542875.tif 000006